(57)【要約】【課題】蓋を完全に取り外すことなく箸を取り出すことができるようにする。【解決手段】箸１の収納部３を内側に形成すると共に、箸１の取り出し口９を形成した箸箱本体４と、箸箱本体４に設けられて取り出し口９を閉塞部14により閉塞可能な弾性材からなる蓋５とを備える。蓋５に弾性部材を用い箸箱本体４の取り出し口９を開閉する閉塞部14を設ける。蓋５は一端側から折り曲げて箸箱本体４の取り出し口９のみを開口させるだけで、箸１の取り出す開口を確保することができ、蓋５を完全に取り外すことなく容易な動作で収納された箸１を取り出すことができる。【選択図】図１
2008125850.tif 000002
【特許請求の範囲】
【請求項１】
箸の収納部を内側に形成して上面開口を有する箸箱本体と、前記箸箱本体の上面開口を閉塞する弾性部材からなる蓋からなり、前記箸箱本体の側面壁の一端に切り欠き部を設けて箸の取り出し口を形成し、前記箸箱本体の取り出し口を閉塞可能な閉塞部を前記蓋に設け、前記蓋の閉塞部を弾性的に屈曲変形させて前記箸箱本体の取り出し口を開閉させることを特徴とする箸箱。
【請求項２】
前記閉塞部に前記取り出し口に対向して嵌合部を設けると共に、前記箸箱本体の前記取り出し口に前記嵌合部が嵌合する嵌合受け部を設けたことを特徴とする請求項１記載の箸箱。
【請求項３】
前記箸箱本体の上面開口の上縁部側に外向きの突条を周状に設け、前記蓋に前記突条に係合する内向きの溝を周状に設け、前記突条を前記蓋の外縁で覆うと共に、前記取り出し口側の前記突条の突出量を、他側の前記突条の突出量より小さく形成したことを特徴とする請求項１又は２記載の箸箱。
【請求項４】
前記箸箱本体の両端縁部を前記蓋で覆うことを特徴とする請求項１〜３のいずれか１項に記載の箸箱。
【請求項５】
前記箸箱本体の内底面を、前記取り出し口側を深く他端側を浅く傾斜させ、前記蓋の内側に前記内底面に対向して内方に突出する箸押え用の突起を設けたことを特徴とする請求項１〜４のいずれか１項に記載の箸箱。
【発明の詳細な説明】
【技術分野】
【０００１】
本発明は、箸箱本体と蓋を備えた箸箱に関するものである。
【背景技術】
【０００２】
従来、この種のものとしては、プラスチック製や木製のものが殆どで、その構成は、上方開口長方体状で合成樹脂製の箸箱本体と、該箸箱本体の開口部及び外周面を覆う合成樹脂製の蓋とを備え、箸箱本体を蓋で被せるもの（例えば特許文献１）や、上端を開口させたケース本体（箸箱本体に相当）の上部に上下動するスライド蓋（蓋に相当）を被せて、このスライド蓋に蓋板と背板とからなる可撓性開閉板を取付けて、このスライド蓋を降下させることによって開くもの（例えば特許文献２）或いは箸を出し入れするための開口を有する箱体（箸箱本体に相当）と前記開口を閉塞する閉塞面を有する蓋体（蓋に相当）とを備え、前記箱体を前記閉塞面に対して平行方向にスライドさせることにより前記開口が開閉される箸箱（例えば特許文献３）や、さらには第１箸箱本体と、箸収容部をもち、第１箸箱本体の幅方向一側に開閉可能に枢着される第２箸箱本体とから成る箸箱（例えば特許文献４）が知られている。
【０００３】
このような箸箱において、収容された箸のガタツキとその音を抑える構造としては、箱内空間寸法をできるだけ小さくしたり、箱内部にポリエチレン樹脂製などの別部材を敷き、箸の動くスペースをできるだけ少なくするものであった。
【特許文献１】実用新案登録第３０２０２８３号公報
【特許文献２】実用新案登録第３０５８１５１号公報
【特許文献３】特開２００４−１１３４９４号公報
【特許文献４】特許第２５３７５８８号公報
【発明の開示】
【発明が解決しようとする課題】
【０００４】
例えば特許文献１のような箸箱本体を蓋で被せるものは、箸箱本体と蓋の係合調整が難しく、係合が強いと蓋が開けにくくなり、係合が弱いと蓋が外れやすく箸が飛び出してしまうことがあった。さらに、箸箱本体開口が全て露出するために、蓋を開いたときに蓋を脱落させることがあった。
【０００５】
次に、例えば特許文献２のような蓋を横にスライドさせて引き出す箸箱は、蓋を引き出す際のその移動距離が長く、箸を取り出すために時間及びスライド移動させるスペースを要した。また、蓋を完全に箸箱本体から取り去らないと箸を取り出すことが困難であった。更に、蓋を箸箱本体に収納する際、箸箱本体の開口端部の長手方向に配置した凹溝に蓋周縁の長手方向に配置したと凸突起を嵌め込む必要があり、共に小さな寸法形状で長手方向に長い距離での組み合わせであるために、緻密な組み合わせ操作や部品寸法精度が必要とされた。
【０００６】
プラスチック製の箸箱の場合、携帯時の落下や衝撃により破損が生じやすく、蓋の開閉ができなくなったり、例えば特許文献３のようなヒンジタイプのものは、蓋と箸箱の嵌合がゆるくなる場合があった。蓋と箸箱の嵌合がゆるい状態で使用すると、携帯中の振動などで蓋が開き、収納している箸が落下することもあった。また、ヒンジ構造により蓋の回転角度が限定されるため、限度以上の回転角度まで操作された場合、ヒンジ部が破損し蓋開閉機能が損なわれることがあった。
【０００７】
また、箸と箸箱が専用の組み合わせのものを使用しない限り、箸のガタツキとその音を抑えることはできない。サイズや形状の違う箸を使う場合、寸法差が生じ、箸のガタツキが生じてしまう。また、箸箱内の箸との隙間を小さくすることにより、箸の第入れが不便になったり、別部品が追加されることにより、コストアップや洗浄での手間が増えてしまう。しかも別部品は紛失してしまうと、その効果はなくなる。
【０００８】
解決しようとする問題点は、蓋を完全に取り外すことなく箸を取り出すことができ、また落下衝撃した際でもその衝撃を吸収しやすく、しかも、箸箱と収納した箸とのガタツキを防止できるようにする点である。
【課題を解決するための手段】
【０００９】
請求項１の発明は、箸の収納部を内側に形成して上面開口を有する箸箱本体と、前記箸箱本体の上面開口を閉塞する弾性部材からなる蓋からなり、前記箸箱本体の側面壁の一端に切り欠き部を設けて箸の取り出し口を形成し、前記箸箱本体の取り出し口を閉塞可能な閉塞部を前記蓋に設け、前記蓋の閉塞部を弾性的に屈曲変形させて前記箸箱本体の取り出し口を開閉させることを特徴とする箸箱である。
【００１０】
請求項２の発明は、前記閉塞部に前記取り出し口に対向して嵌合部を設けると共に、前記箸箱本体の前記取り出し口に前記嵌合部が嵌合する嵌合受け部を設けたことを特徴とする請求項１記載の箸箱である。
【００１１】
請求項３の発明は、前記箸箱本体の上面開口の上縁部側に外向きの突条を周状に設け、前記蓋に前記突条に係合する内向きの溝を周状に設け、前記突条を前記蓋の外縁で覆うと共に、前記取り出し口側の前記突条の突出量を、他側の前記突条の突出量より小さく形成したことを特徴とする請求項１又は２記載の箸箱である。
【００１２】
請求項４の発明は、前記箸箱本体の両端縁部を前記蓋で覆うことを特徴とする請求項１〜３のいずれか１項に記載の箸箱である。
【００１３】
請求項５の発明は、前記箸箱本体の内底面を、前記取り出し口側を深く他端側を浅く傾斜させ、前記蓋の内側に前記内底面に対向して内方に突出する箸押え用の突起を設けたことを特徴とする請求項１〜４のいずれか１項に記載の箸箱である。
【発明の効果】
【００１４】
請求項１の発明によれば、蓋の閉塞部を弾性的に屈曲変形させて取り出し口を開閉させて容易に箸を取り出すことができ、蓋は一端側から折り曲げて箸箱本体の取り出し口のみを開口させるだけで、箸の取り出す開口を確保することができ、蓋を完全に取り外すことなく容易な動作で収納された箸を取り出すことができる
請求項２の発明によれば、携帯中の振動などで容易に取り出し口が開閉したり、蓋が外れたりすることはない。
【００１５】
請求項３の発明によれば、取り出し口側において蓋との係合が弱くなり、弾性的に屈曲変形させる蓋の閉塞部がより容易に変形することができる。
【００１６】
請求項４の発明によれば、蓋の両端部で箸箱本体の両端縁を被覆することにより、どの角度からの落下衝撃に対してもその衝撃を吸収できる。
【００１７】
請求項５の発明によれば、箸の上端面が平行になり、蓋裏に設置した突起を箸に接触させて押さえ込むことができる。
【発明を実施するための最良の形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１は実施例１を示しており、左右一対の先細な箸１を横に並べて収納する箸箱２は、箸収納部３を内側に形成した硬質プラスチックや木製等の硬質材からなる平面が横長な矩形状をなした箸箱本体４と、同じく平面が横長な矩形状をなした箸収納部３を閉蓋する蓋５からなり、蓋５はゴム、合成ゴム、エラストマー或いは軟質プラスチック等の軟質で弾性的に屈曲変形可能な部材からなる。
【００２０】
箸箱本体４は平面が横長な底面部６と、その底面部６の左右にそれぞれ立設した左右側面部７，８と、前記底面部６の長手方向の一端にあって該底面部の一端上に先方を貫通するような切り欠き部によって形成された箸１の取り出し口９と、前記底面部６の長手方向の他端にあって該底面部６上を閉塞する他端面部10とを備えて、上面を開口している。底面部６は箸１の長さよりもやや長く形成され、また左右側面部７，８の間隔は左右一対の箸１の全幅よりもやや大きく形成されている。そして、箸箱本体４の内底面６Ａを、左右側面部７，８の上縁を基準として一端側にある取り出し口９側の深さＡを、他端面部10側の深さＢを浅く一様に傾斜させており（Ａ＞Ｂ）、さらに、蓋５の内側の長手方向の中央より一端側には内底面６Ａに対向して内方に突出する箸押え用の突起11をほぼ全幅（長手方向に直交する方向）にわたって設けている。
【００２１】
前記蓋５は、前記上部開口12を閉蓋する横長平板状の蓋本体13の長手方向の一端に取り出し口９を閉塞可能な閉塞部14を下方に一体として突出している。
【００２２】
一方蓋本体13の長手方向の他端に他端面部10を他端外側方向から嵌合する外嵌合部15を一体として下方に突出している。さらに、蓋本体13の長手方向の一端には該一端方向に操作部であるリング状の摘み16を一体に設けている。また、蓋本体13の左右縁には、それぞれ左右側面部７，８の上縁部を外嵌するようにやや下方に突設する下向きの左右外縁部17，18が設けられている。
【００２３】
また、取り出し口９は左右側面部７，８の一端側も切り欠きされて、一端方向のみならず左右方向も開放されており、このため、箸箱本体４の取り出し口９側の底面部６は先方へ平面がほぼ半円状に突設している。そして取り出し口９を閉塞する閉塞部14も平面を底面部６の一端に沿うように一端側閉塞部位14Ａの他に左右閉塞部位14Ｂを備えて平面をほぼ半円弧状に形成されている。さらに、一端側閉塞部位14Ａの下端には逆方向、すなわち他端方向へ横向きとなってやや突設した嵌合部19が一体に設けられている。この嵌合部19は底面部６の一端側の外底面６Ｂに着脱可能に嵌合するもので、外底面６Ｂには嵌合受け部20が設けられている。この嵌合受け部20は、底面部６の下面に設けた段部20Ａを介しての一端側の肉厚Ｃを他より薄くすることで、段部20Ａの一端側に嵌合部19が嵌合すると共に、嵌合部19の端面が段部20Ａに係止されるようになっている。
【００２４】
一方、箸箱本体４の他端側の底面部６も先方へ平面がほぼ半円状に突設している。そして他端面部10を外側から閉塞するように他端外嵌合部位15Ａの他に左右外嵌合部位15Ｂを備えてほぼ半円弧状に形成されている。さらに、他端外嵌合部位15Ａの下端は逆方向、すなわち一端方向へ横向きとなってやや突設している。この他端外嵌合部位15Ａは底面部６の他端側外底面６Ｂに着脱可能に外嵌合するもので、底面部６の他端の外底面６Ｂには外嵌合受け部21が設けられている。
【００２５】
さらに、箸箱本体４と蓋５との取り付けのために、箸箱本体４の上縁部側に斜め上向きとなって外向きの３種類の第１〜３の突条22，23，24が連続して周状に設けられている。すなわち、左右側面部７，８の上縁部の中間部と一端側と他端側を除いて、左右側面部７，８からの突出量である張り出し長さＤを有する突条22が設けられ、上縁部の中間部には、張り出し長さＤよりも突出量が大きい張り出し長さＥ（Ｄ＜Ｅ）を有する突条23が設けられている。さらに上縁部の一端側と他端側には、張り出し長さＤよりも突出量が小さい張り出し長さＦ（Ｄ＞Ｆ）を有する突条24が設けられている。他端側には張り出し長さＤの突条22が設けられている。
【００２６】
一方、蓋本体13の下面には突条22，23，24に係合する内向きの溝幅が２種類の第１〜２の溝25，26を連続して周状に設ける。すなわち、蓋本体13の左右縁の中間部を除く箇所の溝25は突条22，24に対向して配置されるものであり、溝25の溝幅Ｄ´は張り出し長さＤよりやや大きいか或いはほぼ同じ大きさに形成されている（Ｄ´＜Ｄ，Ｄ´＝Ｄ）。また、溝25の溝幅Ｄ´は張り出し長さＦより大きく形成されている（Ｄ´＞Ｆ）。さらに、突条23に対向する中間部の溝26の溝幅Ｅ´は、張り出し長さＥとほぼ同じ大きさに形成されている（Ｅ´＝Ｅ）。尚、他端側には溝幅Ｄ´の溝25が設けられている。この結果、箸箱本体４と蓋５との間における突条22，23，24と溝25，26，27との係合力は、係合面積の大小に起因して、次の順番となって小さくなる。すなわち、突条23と溝26との係合力、突条22と溝25との係合力、突条24と溝27との係合力の順となる。
【００２７】
さらに、蓋５の左右閉塞部位14Ｂの内側には、左右側面部７，８の一端側端面７Ａ，８Ａが当接可能なストッパー片28が蓋本体13から下方に向けて突設している。このストッパー片28の下端は内底面６Ａに達するか或いは内底面６Ａの近傍に達するように形成されている。
【００２８】
次に、前記構成についてその作用を説明する。洗浄された箸箱２に、洗浄された箸１を収納するときは、上部開口12を開いた状態の箸箱本体４の箸収納部３に箸１を収納する。このときには、箸１の握り部１Ａを取り出し口９に箸先１Ｂを他端面部10側に配置する。次に蓋５を閉じる。この閉蓋は、上部開口12を覆うように蓋５を配置し、そして外嵌合部15を他端面部10に外嵌合すると共に、突条22，23，24に溝25，26，27を係合し、さらに嵌合部19を嵌合受け部20に嵌合させて閉塞部14を取り出し口９に対向させて閉塞する。この際には、外嵌合部15を固定側として弾性を利用して摘み16をやや引っ張りながら嵌合部19を嵌合受け部20に嵌合させるようにする。これにより嵌合受け部20に嵌合する蓋５の一端側、すなわち嵌合部19と、他端に外嵌合する蓋５の他端側、すなわち外嵌合部15との間を緊張状態として閉蓋するようになっている。そして、突起11が箸１の上面に圧接して箸１を押えることができるようになっている。尚、突条22，23，24と溝25，26，27との係合において、突出量Ｅの大きい突条23は、溝幅Ｅ´の大きい溝26に係合しているので、その係合力は他の部位より強くなっており、一方、突出量Ｄの小さい突条22は、溝幅Ｄ´の小さい溝25に係合しているので、その係合力は他の部位より弱くなっている。
【００２９】
このような状態で箸１を箸箱２に収納して携帯する。この箸１の収納状態では、箸１の握り部１Ａが深さＡの大きい箇所に配置されると共に、箸先１Ｂが深さＢの浅い箇所に配置され、突起11が箸１の上面に圧接することで、箸箱２内での箸１の移動、すなわちガタツキを抑えることができる。
【００３０】
さらに、箸箱２を万一落下した場合であっても、箸箱２の両側には蓋本体13と一体な弾性部材からなる閉塞部14と外嵌合部15があらわれているため、これら箇所が床にぶつかってもその衝撃を吸収することができる。
【００３１】
そして、箸１を取り出すときには、まず摘み16を下方から上方へ押し上げることにより、嵌合部19を嵌合受け部20より外す。次に蓋５の弾性を利用して摘み16を斜め上方へ持ち上げて取り出し口９を開口する。そして、取り出し口９より箸１を取り出すことができる。
【００３２】
この際、取り出し口９より箸１が取り出しにくい状態のときには、箸箱本体４の突条22，23，24と蓋５の溝25，26，27との係合力は上述のように、取り出し口９側が弱く、中間部では強くなっているので、摘み16を斜め上方へ持ち上げると取り出し口９側の係合が解除される。さらに、摘み16を斜め上方へ持ち上げると取り出し口９側と中間部側との係合が解除されて上部開口12の取り出し口９側が開口するように蓋５が大きく開く。さらに同じ力で摘み16を斜め上方へ持ち上げても、前記中間部の係合力は大きくなっているので、係合力が勝り、上部開口12がそれ以上開口するようなことはなくなる。尚、箸箱２を洗浄するため箸箱本体４と蓋５とを分離するときには、さらに大きな力で摘み16を持ち上げると共に、他端側へスライドさせることで蓋５を箸箱本体４より分離することができる。
【００３３】
以上のように、前記実施例においては、箸１の収納部３を内側に形成して上面開口を有する箸箱本体４と、前記箸箱本体４の上面開口を閉塞する弾性部材からなる蓋５からなり、前記箸箱本体４の側面壁の一端に切り欠き部を設けて箸１の取り出し口９を形成し、前記箸箱本体４の取り出し口９を閉塞可能な閉塞部14を前記蓋５に設け、前記蓋５の閉塞部14を弾性的に屈曲変形させて前記箸箱本体４の取り出し口９を開閉させることにより、蓋５を完全に取り外すことなく容易に箸を取り出すことができる。さらに、蓋５に弾性部材を用い箸箱本体４の取り出し口９を開閉する閉塞部14を設けているため、蓋５は一端側から折り曲げて箸箱本体４の取り出し口９のみを開口させるだけで、箸１の取り出す開口を確保することができ、蓋５を完全に取り外すことなく容易な動作で収納された箸１を取り出すことができる。そのため、箸１が外部に脱落して汚れたり紛失したりすることも防止できる。
【００３４】
また、携帯中の振動などで容易に取り出し口９が開閉したり、蓋５が外れたりすることはなく、確実に蓋５が閉塞される構造としている。
【００３５】
しかも、箸１の取り出し口９側の箸箱本体４の突条24の突起量Ｆを他の突起量Ｄ，Ｅより小さくすることで、蓋５との係合が弱くなり、弾性的に屈曲変形させる蓋５の閉塞部14がより容易に変形することができる。
【００３６】
また、蓋５の両端部で箸箱本体４の両端縁を被覆することにより、どの角度からの落下衝撃に対してもその衝撃を吸収し、又は箸箱本体４が直接地面などに衝突しにくいため、箸箱本体４や箸１の破損を抑えることができる。蓋５自身が弾性変形部材であるために、その開閉作動にも影響が出ない。さらには、箸箱２を置くテーブル等を傷つけることもない。
【００３７】
さらに、取り出し口９側を深くし、箸１の握り部１Ａ側として箸箱本体４の箸収納部３の内底面６Ａを箸１の箸細１Ｂ方向に浅くなるよう傾斜させることにより、箸１の上端面が平行になる。蓋裏に設置した突起11を箸１に接触させて押さえ込む形状とすることにより、箸１が固定されて箸箱本体４内で動くことがなくなる。そのために、箸１と箸箱本体４の摩擦によるすれ傷を防止でき、箸１のガタツキ音を抑えられ、食事後の箸１の汚れが箸箱２内の他面に広く拡がることもない。
【００３８】
また、箸１を出し入れする際は箸１の太い側（握り部１Ａ側）のみが取り出し口９から露出するため、箸１の太い側のみを保持して出し入れ操作できるため衛生的である。もし、箸１のサイズや形状が変わったとしても、その弾性変形により一定に箸１を抑えつけることができる。同時に、箸箱本体４の箸収納部３のうち内底面６Ａを箸１の箸細方向（箸先１Ｂ方向）に浅くなるよう傾斜させたことにより、食後の箸先部が箸箱本体４の浅い内底面６Ａ側となり、もし箸１の汚れが箸箱本体４に付いたとしても容易に汚れを取り去ることができる。
【００３９】
このような構造とすることによって，簡便な蓋開閉及び箸１の出し入れ操作を得ることができ、衝撃に対する安全性と作動機能としての安定性が生じ、同時に箸のガタツキを抑えることができる。
【産業上の利用可能性】
【００４０】
以上のように本発明に係る箸箱は、各種の箸に適用できる。
【図面の簡単な説明】
【００４１】
【図１】本発明の実施例１を示す分解斜視図である。
【図２】本発明の実施例１を示す蓋を開いた状態の斜視図である。
【図３】本発明の実施例１を示す平面図である。
【図４】図３のＩ−Ｉ線断面図である。
【図５】本発明の実施例１を示す蓋を開いた状態の断面図である。
【図６】図３のＩＩ−ＩＩ線断面図である
【図７】図３のＩＩＩ−ＩＩＩ線断面図である
【図８】図３のＩＶ−ＩＶ線断面図である
【符号の説明】
【００４２】
１  箸
３  箸収納部
４  箸箱本体
５  蓋
６Ａ  内底面
９  取り出し口
11  突起
12  上部開口
14  閉塞部
19  嵌合部
20  嵌合受け部
22，23，24  突条
Ｄ  Ｅ  Ｆ  張り出し量（突出量）
【図１】
2008125850.tif 000003
【図２】
2008125850.tif 000004
【図３】
2008125850.tif 000005
【図４】
2008125850.tif 000006
【図５】
2008125850.tif 000007
【図６】
2008125850.tif 000008
【図７】
2008125850.tif 000009
【図８】
2008125850.tif 000010